(57)【特許請求の範囲】
【請求項１】
入力信号に対し搬送波周波数の変換を行って目的周波数の変換信号を生成する周波数変換回路であって、
同一の周波数ｆＬＯ、かつ互いに９０度の位相差を有する２種類の局部発振信号を生成する局部発振部と、
前記入力信号に前記各局部発振信号をそれぞれ乗算してＩ信号及びＱ信号を生成し、当該Ｉ信号及びＱ信号相互間に９０度の位相差を与えた上で加算合成し、前記入力信号に含まれるイメージ信号が除去された前記変換信号を生成可能なイメージリジェクションミキサと、
を有し、
前記局部発振部は、
周波数２ｆＬＯの原発振信号を生成する発振回路と、
前記原発振信号のオフセット電圧を調整できるオフセット調整回路と、
前記オフセット電圧を調整された前記原発振信号を２分周し前記各局部発振信号を生成する回路であって、前記オフセット電圧を調整された前記原発振信号の負から正への極性反転に応じて一方の前記局部発振信号の極性を反転させ、前記オフセット電圧を調整された前記原発振信号の正から負への極性反転に応じて他方の前記局部発振信号の極性を反転させる分周回路と、
を有することを特徴とする周波数変換回路。
【請求項２】
請求項１に記載の周波数変換回路において、
前記発振回路は、一対の差動入力端子相互間に前記原発振信号を印加され、当該原発振信号を差動形式にして出力する差動増幅回路を有し、
前記オフセット調整回路は、出力電圧を可変に構成され、一対の前記差動入力端子の一方にのみ当該出力電圧を印加して当該一方の差動入力端子の他方の前記差動入力端子に対するバイアス電位を変化させ、前記差動増幅回路から出力される前記差動形式の原発振信号相互間のオフセット電圧を調整するバイアス電圧回路であること、
を特徴とする周波数変換回路。
【請求項３】
請求項２に記載の周波数変換回路において、
前記バイアス電圧回路は、
格納データを書き換え可能なレジスタと、
前記レジスタの前記格納データをアナログ電圧に変換して前記出力電圧を生成するＤ／Ａ変換回路と、
を有し、
前記レジスタに設定された前記格納データは、前記イメージ信号の除去率を最大とするように調整されていること、
を特徴とする周波数変換回路。
【発明の詳細な説明】
【技術分野】
【０００１】
本発明は、無線放送・通信の受信機での無線周波数（Radio Frequency：ＲＦ）の受信信号から所定の中間周波数（Intermediate Frequency：ＩＦ）へのダウンコンバートなどに用いられる周波数変換回路に関し、特に、混合器としてイメージリジェクションミキサを用いたものに関する。
【背景技術】
【０００２】
図３は、ＦＭ受信機のＲＦ信号からＩＦ信号への変換を行う部分の回路構成を示すブロック図である。アンテナ４で受信されたＲＦ（Radio Frequency）信号ＳＲＦ０は、ＲＦ同調回路６に入力される。ＲＦ同調回路６は、受信対象とする広い帯域にわたるＲＦ信号ＳＲＦ０から、搬送波周波数ｆＲを有する目的受信局を含む狭い帯域のＲＦ信号ＳＲＦを抽出する同調処理を行う。例えば、ＲＦ同調回路６は、選択度を上げるために複同調回路で構成される。ＲＦ同調回路６は、同調コイル等の部品をＦＭチューナ用ＩＣなどに外付けして構成される。
【０００３】
ＳＲＦは周波数変換部８に入力される。周波数変換部８は、混合回路（ミキサ）１０と、局部発振部１２とを含んで構成される。混合回路１０は、ＲＦ同調回路６から入力されるＲＦ信号ＳＲＦと、局部発振部１２から入力される周波数ｆＬＯの局部発振信号ＳＬＯとを混合して、中間周波数ｆＩＦにダウンコンバートされた搬送波周波数を有する中間信号ＳＩＦを生成する。局部発振部１２は、電圧制御発振器（ＶＣＯ）を用いたＰＬＬ（Phase Lock Loop）回路を有し、ＶＣＯが出力する発振信号ＳＯＳＣに基づいてＳＬＯを生成する。
【０００４】
周波数変換部８での搬送波周波数のダウンコンバートにおいて、周波数混合により生ずる和信号（周波数：ｆＲ＋ｆＬＯ）と差信号（周波数：|ｆＲ−ｆＬＯ|）とのうち差信号が利用され、ｆＬＯが|ｆＲ−ｆＬＯ|＝ｆＩＦを満たすＳＬＯにより、目的受信局は周波数ｆＲからｆＩＦへ変換される。ここで、|ｆＲ−ｆＬＯ|＝ｆＩＦを満たすｆＬＯは（ｆＲ＋ｆＩＦ）と（ｆＲ−ｆＩＦ）との２通り存在する。そのため、例えば、ｆＬＯを（ｆＲ＋ｆＩＦ）とする場合、目的受信局がｆＩＦへ変換される一方で同時に、ＳＲＦに含まれうる周波数（ｆＲ＋２ｆＩＦ）の成分（イメージ信号）もｆＩＦへ変換され、これが目的局の受信に対して妨害信号となる。また、ｆＬＯを（ｆＲ−ｆＩＦ）とした場合も同様にしてイメージ妨害信号が発生する。
【０００５】
このイメージ信号による妨害を抑制するために、混合回路１０をイメージリジェクションミキサ（ＩＱミキサ）で構成することが行われている。図４は、イメージリジェクションミキサの原理を説明するための模式的なブロック図である。ＲＦ同調回路６から差動信号として出力されるＲＦ信号ＳＲＦの非反転側の信号をＳＲＦ(0)、反転側の信号をＳＲＦ(-π)と表す。ＳＲＦ(-π)をミキサ２０に入力し、ＳＲＦ(0)をミキサ２１に入力する。局部発振部１２に含まれる分周回路２２はＳＬＯとして、位相が互いに（π/２）［rad］ずれた２つの信号ＳＬＯ(0)とＳＬＯ(-π/2)とを生成し、ミキサ２０に対してはＳＬＯ(-π/2)を入力し、ミキサ２１に対してはＳＬＯ(0)を入力する。ミキサ２０は、ＳＲＦ(0)に対して位相が（−π）［rad］ずれたＳＲＦ(-π)と、ＳＬＯ(0)に対して位相が（−π/２）［rad］ずれたＳＬＯ(-π/2)とを混合して、ＳＲＦを周波数ｆＩＦのＳＱ（Ｑ信号）へダウンコンバートする。一方、ミキサ２１は、ＳＲＦ(0)と、ＳＬＯ(0)とを混合して、ＳＲＦを周波数ｆＩＦのＳＩ（Ｉ信号）へダウンコンバートする。ミキサ２０の出力信号ＳＱはＡＰＦ（All Pass Filter）２３にて位相を（π/４）［rad］シフトされ、ミキサ２１の出力信号ＳＩはＡＰＦ２４にて位相を（−π/４）［rad］シフトされ、それぞれ加算器２５へ入力される。加算器２５は、ＡＰＦ２４，２３から出力されるＳＩ，ＳＱを加算合成した信号を出力する。
【０００６】
ここで、ＡＰＦ２３の出力信号ＳＱに含まれる目的受信局の信号成分の位相は（−π/４）［rad］シフトし、イメージ信号成分の位相は（−５π/４）［rad］シフトする。一方、ＡＰＦ２４の出力信号ＳＩに含まれる目的受信局の信号成分の位相は（−π/４）［rad］シフトし、イメージ信号成分の位相は（−π/４）［rad］シフトする。その結果、ＳＩ及びＳＱそれぞれに含まれる目的受信局の信号成分は同相となり、加算器２５の出力には、それら信号成分を足し合わせた信号が現れる。一方、ＳＩ及びＳＱそれぞれに含まれるイメージ信号成分は互いに逆相となり、加算器２５にて相殺され、その出力にはイメージ信号が現れない。
【０００７】
図５は、上述のイメージリジェクションミキサで用いられる、互いに直交する局部発振信号ＳＬＯ(0)及びＳＬＯ(-π/2)の生成を説明する信号波形図である。局部発振部１２は、ＶＣＯにて周波数２ｆＬＯの原発振信号ＳＯＳＣを生成し、これを差動増幅回路にて差動形式として、分周回路２２に入力する。図５（ａ），（ｂ）に実線で示す波形３０ａ，３２ａは、差動形式の原発振信号を構成する一対の信号ＳＯＳＣ＋，ＳＯＳＣ−を表している。ＳＯＳＣ＋，ＳＯＳＣ−それぞれのバイアスレベルは本来、共通電位（コモンモードレベル）ψＣＯＭであり、ψＣＯＭを中心として振動する。一方、ＳＯＳＣ＋，ＳＯＳＣ−の差によって表される信号ＳＯＳＣは、電位０を中心として振動する（図５（ｃ）の波形３４ａ）。分周回路２２は、ＳＯＳＣを２分周して局部発振信号ＳＬＯ(0)及びＳＬＯ(-π/2)を生成する。この分周において、ＳＯＳＣの負から正への極性反転に応じて一方の局部発振信号、例えばＳＬＯ(0)の極性を反転させ（図５（ｄ））、ＳＯＳＣの正から負への極性反転に応じて他方の局部発振信号、例えばＳＬＯ(-π/2)の極性を反転させるようにすることで（図５（ｅ））、ＳＬＯ(0)とＳＬＯ(-π/2)との間に（π/２）［rad］の位相差を設けることができる（図５（ｄ）の波形３６ａ、図５（ｅ）の波形３８ａ）。
【特許文献１】特開２００４−１２８６９４号公報
【発明の開示】
【発明が解決しようとする課題】
【０００８】
イメージリジェクションミキサによりイメージ信号を好適に除去するためには、ＳＬＯ(0)とＳＬＯ(-π/2)との間の（π/２）［rad］の位相差や、ＡＰＦ２３，２４によりＳＩとＳＱとに与えられる（π/２）［rad］の位相差を精度良く設定する必要がある。しかし、回路定数のばらつき等によりこれら信号間の所定の位相差を実現することは必ずしも容易ではなく、イメージ除去率が低くなり得るという問題があった。例えば、図５（ｂ）の点線の波形３２ｂに示すように、ＳＯＳＣ−のバイアスレベルがψＣＯＭからずれると、ＳＯＳＣは図５（ｃ）の点線の波形３４ｂとなり、ＳＯＳＣのバイアスレベルは０電位に対してオフセットし、ＳＯＳＣが正である時間と負である時間とに差異が生じる。その結果、ＳＬＯ(0)，ＳＬＯ(-π/2)はそれぞれ図５（ｄ）の点線の波形３６ｂ、図５（ｅ）の点線の波形３８ｂへ位相がずれ、ＳＬＯ(0)とＳＬＯ(-π/2)との間の位相差が（π/２）［rad］ではなくなり、イメージ除去率が低下する。
【０００９】
また、混合回路１０にてイメージ信号を好適にできないことに対応するため、ＲＦ同調回路６を複同調回路の構成とするなどして選択度を高める必要が生じる。そのため、ＲＦ同調回路６を構成する同調コイル等の部品の数が多くなり、周波数変換回路、ひいてはこれを用いる受信機等のコストの低減やサイズの縮小が難しいという問題があった。
【００１０】
本発明は上記問題点を解決するためになされたものであり、イメージリジェクションミキサを用いた周波数変換回路において、好適なイメージ除去率を実現することを目的とする。
【課題を解決するための手段】
【００１１】
本発明に係る周波数変換回路は、入力信号に対し搬送波周波数の変換を行って目的周波数の変換信号を生成する回路であって、同一の周波数ｆＬＯ、かつ互いに９０度の位相差を有する２種類の局部発振信号を生成する局部発振部と、前記入力信号に前記各局部発振信号をそれぞれ乗算してＩ信号及びＱ信号を生成し、当該Ｉ信号及びＱ信号相互間に９０度の位相差を与えた上で加算合成し、前記入力信号に含まれるイメージ信号が除去された前記変換信号を生成可能なイメージリジェクションミキサと、を有し、前記局部発振部が、周波数２ｆＬＯの原発振信号を生成する発振回路と、前記原発振信号を２分周し前記各局部発振信号を生成する回路であって、前記原発振信号の負から正への極性反転に応じて一方の前記局部発振信号の極性を反転させ、前記原発振信号の正から負への極性反転に応じて他方の前記局部発振信号の極性を反転させる分周回路と、前記原発振信号のオフセット電圧を調整できるオフセット調整回路と、を有するものである。
【発明の効果】
【００１２】
本発明によれば、原発振信号のオフセット電圧を調整することにより、２種類の局部発振信号間の位相差ΔθＬＯを調整することができる。すなわち、ΔθＬＯを理想的な状態である９０度（π/２［rad］）に調整することができ、イメージ除去率の向上を図ることができる。また、局部発振部以外に起因してＩ信号とＱ信号との間に生じる位相誤差に対しても、ΔθＬＯを調整することで、イメージ除去率が好適となる状態を選択することができる。また、周波数変換回路にてイメージ信号を好適に除去できる結果、ＲＦ同調回路を単同調回路としたり、省略したりすることが可能となり、コスト低減やサイズの小型化が図れる。
【発明を実施するための最良の形態】
【００１３】
以下、本発明の実施の形態（以下実施形態という）について、図面に基づいて説明する。
【００１４】
図１は、実施形態に係るＦＭラジオ受信機５０の概略のブロック構成図である。本ＦＭラジオ受信機５０は、ＦＭチューナ回路５２と、マイクロコンピュータ５４と、ＥＥＰＲＯＭ（Electronically Erasable and Programmable Read Only Memory）等の不揮発性のメモリ５６と、それらの間の通信を可能とするシステムバス５８とを含んで構成される。ＦＭチューナ回路５２の主要部はＩＣ化される。
【００１５】
ＦＭチューナ回路５２は、アンテナ６０で受信されたＲＦ信号ＳＲＦを入力される。ＦＭチューナ回路５２は、第１局部発振部６４、第１混合回路６６、ＢＰＦ６８，７２、バッファアンプ７０、第２局部発振部７４、第２混合回路７６、ＩＦＢＰＦ８０、リミッタアンプ８２、及びＦＭ検波回路８４を含んで構成され出力信号ＳＯＵＴを生成する。
【００１６】
アンテナ６０からのＲＦ信号ＳＲＦは、第１混合回路６６に入力される。第１混合回路６６は、入力されたＲＦ信号ＳＲＦを、第１局部発振部６４から入力される第１局部発振信号ＳＬＯ１と混合して、第１中間信号ＳＩＦ１を生成する。ＳＬＯ１の周波数ｆＬＯ１は、ＳＲＦに含まれる目的受信局の信号の搬送波周波数ｆＲが第１混合回路６６によるＳＩＦ１への周波数変換にて所定の第１中間周波数ｆＩＦ１に変換されるように調整される。第１中間周波数ｆＩＦ１は、例えば、１０．７ＭＨｚに設定される。
【００１７】
第１混合回路６６は、イメージリジェクションミキサ（ＩＱミキサ）を用いて構成され、ＳＲＦに含まれ得るイメージ妨害信号を除去可能に構成される。第１混合回路６６を構成するイメージリジェクションミキサの基本的な構成は例えば、図４に示したものであり、以下の説明では同図を援用する。アンテナ６０で受信されたＳＲＦは差動信号ＳＲＦ(0)，ＳＲＦ(-π)に変換され、それぞれミキサ２１，２０に入力される。また、ミキサ２１，２０にはＳＬＯ１として、それぞれＳＬＯ(0)，ＳＬＯ(-π/2)が入力される。本実施形態では、ＳＬＯ(0)，ＳＬＯ(-π/2)は、第１局部発振部６４を構成する分周回路９０にて生成され、ミキサ２１，２０に入力される。
【００１８】
第１局部発振部６４は、分周回路９０、第１発振回路９２、レジスタ９４及びＤ／Ａ変換回路（ＤＡＣ）９６を含んで構成される。第１発振回路９２は、周波数ｆＯＳＣ１の発振信号ＳＯＳＣ１を出力する。第１発振回路９２は、例えば、水晶発振回路（図示せず）が生成する基準発振信号Ｓ０を利用するＰＬＬ回路で構成される。具体的には、第１発振回路９２は、位相比較部１００、ループフィルタ１０２、ＶＣＯ１０４、分周回路１０６，１０８を含んで構成される。
【００１９】
分周回路１０６は、基準発振信号Ｓ０をｒ分周して、位相比較部１００における基準発振信号ＳＲを生成する。一方、分周回路１０８は、ＶＣＯ１０４が生成するＳＯＳＣ１をｎ分周して、位相比較部１００へフィードバックされる発振信号ＳＮを生成する。分周比ｎは、目的受信局の周波数ｆＰに応じて設定される。位相比較部１００は、ＳＮとＳＲとの位相差に応じた時間幅のパルスを生成する。ループフィルタ１０２は、位相比較部１００の出力を平滑化し、制御電圧ＶＴを生成する。ＶＣＯ１０４は、ＶＴに応じて発振周波数を変化させ、その結果、生成されるＳＯＳＣ１が上述のように分周回路１０８を介して位相比較部１００に入力される。
【００２０】
このＰＬＬ回路は、ＳＮの周波数ｆＮがＳＲの周波数ｆＲに一致するようにフィードバック制御し、目的受信局に対応した周波数ｆＯＳＣ１を有するＳＯＳＣ１を生成する。ＳＯＳＣ１は差動信号に変換されて分周回路９０に入力される。分周回路９０は２分周回路に構成され、これに対応してｆＯＳＣ１は、２（ｆＰ＋ｆＩＦ１）に設定される。
【００２１】
図２は、ＶＣＯ１０４の概略の構成を示す回路図である。ＶＣＯ１０４は、ＬＣ発振回路１１０及び差動増幅回路１１２を含んで構成され、またＶＣＯ１０４にはオフセット調整回路１１４が付随して設けられる。差動増幅回路１１２は、トランジスタＴｒ１，Ｔｒ２を入力差動トランジスタ対として備え、トランジスタＴｒ１，Ｔｒ２それぞれのベースが一対の差動入力端子となる。Ｔｒ１のベースにはＬＣ発振回路１１０が接続され、発振周波数ｆＯＳＣ１の発振信号ＳＬＣを印加される。ＬＣ発振回路１１０は、静電容量を可変な容量素子Ｃを備える。容量素子Ｃはバラクタダイオードで構成することができ、そのバラクタダイオードはループフィルタ１０２から印加される制御電圧ＶＴに応じてその静電容量を変化させ、これによりＬＣ発振回路１１０の発振周波数ｆＯＳＣ１が変化する。
【００２２】
Ｔｒ１，Ｔｒ２は例えば、ｎｐｎ型トランジスタで構成され、それらのコレクタはそれぞれ抵抗Ｒ４，Ｒ５を介して正電圧源ＶＣＣに接続される。また、Ｔｒ１，Ｔｒ２のベースにはそれぞれ抵抗Ｒ１，Ｒ２を介して、共通の直流電圧源Ｖ１が接続される。
【００２３】
電圧源Ｖ１は、Ｔｒ１のベースのバイアス電位Ψｉａｓ１及びＴｒ２のベースのバイアス電位Ψｂｉａｓ２を共通電位ψ０にバイアスする。この構成において、Ｔｒ１，Ｔｒ２それぞれのベース電位Ψｂ１，Ψｂ２は、
Ψｂ１＝ＳＬＣ＋ψ０
Ψｂ２＝ψ０
となる。Ｔｒ１，Ｔｒ２のコレクタからそれぞれ取り出される差動増幅回路１１０の差動出力ＳＯＳＣ＋，ＳＯＳＣ−は、差動増幅回路１１２のゲインｇの１／２をαとして、
ＳＯＳＣ＋＝−αＳＬＣ−ψＣＯＭ
ＳＯＳＣ−＝αＳＬＣ−ψＣＯＭ
となる。これらＳＯＳＣ＋，ＳＯＳＣ−の差（ＳＯＳＣ１≡ＳＯＳＣ＋−ＳＯＳＣ−）によって表される信号ＳＯＳＣ１は原理上、オフセット電位が０となる（図５（ｃ）の波形３４ａ）。
【００２４】
差動増幅回路１１２は、オフセット調整回路１１４を付加されている。オフセット調整回路１１４は、電圧可変の直流電圧源Ｖ２及び抵抗Ｒ３を含み、電圧源Ｖ２の出力電圧はＲ３を介してＴｒ２のベースに印加される。これにより、Ｔｒ２のベースのバイアス電位Ψｂｉａｓ２は、電圧源Ｖ１により設定される値ψ０から変化させることができる。その変化量をΔψ０とする。
これにより、Ｔｒ１，Ｔｒ２それぞれのベース電位Ψｂ１，Ψｂ２は、
Ψｂ１＝ＳＬＣ＋ψ０
Ψｂ２＝ψ０＋Δψ０
となる。これに対応して、ｎｐｎ型トランジスタで構成される差動出力ＳＯＳＣ＋，ＳＯＳＣ−は、
ＳＯＳＣ＋＝−αＳＬＣ−ψＣＯＭ
ＳＯＳＣ−＝αＳＬＣ−（ψＣＯＭ＋ΔψＣＯＭ）
となり、ＳＯＳＣ１にオフセット電位ΔψＣＯＭを与えることができる。
【００２５】
差動増幅回路１１２から差動形式の信号ＳＯＳＣ＋，ＳＯＳＣ−で表されたＳＯＳＣ１は上述のように分周回路９０に入力される。分周回路９０は、従来技術として上述した分周回路２２と同様に、差動信号ＳＯＳＣ１を２分周して局部発振信号ＳＬＯ(0)及びＳＬＯ(-π/2)を生成する。これらＳＬＯ(0)及びＳＬＯ(-π/2)は上述したように、ミキサ２１，２０に入力される。
【００２６】
ＦＭラジオ受信機５０は、オフセット調整回路１１４によりＳＯＳＣ１のオフセット電位を調整することができる。この構成では、例えば、何らかの原因で、ＳＬＣの振幅の中心電位が０からずれている場合や、差動増幅回路１１４の対称性が完全でない場合など、ＳＯＳＣ１のオフセット電位が０でない値となり得る場合、つまり図５（ｃ）の点線の波形３４ｂのような状態となり得る場合でも、電圧Ｖ２を調整することで、当該オフセット電位を０に調整し、ＳＯＳＣ１を図５（ｃ）の実線の波形３４ａの状態とすることができる。これにより、ＳＬＯ(0)及びＳＬＯ(-π/2)の間の位相差ΔθＬＯを理想的な状態である９０度（π/２［rad］）に調整することができ、イメージ除去率の向上を図ることができる。
【００２７】
また、第１混合回路６６内にてＩ信号及びＱ信号の２系統間に生じる位相誤差に対しても、ΔθＬＯを調整することで、イメージ除去率が好適となる状態を選択することができる。
【００２８】
例えば、オフセット調整回路１１４における電圧可変の直流電圧源Ｖ２は、レジスタ９４及び、当該レジスタ９４の格納データをアナログ電圧信号に変換して出力するＤＡＣ９６で構成することができる。この構成では、電圧Ｖ２はレジスタ９４の格納データに応じて変化させることができる。マイクロコンピュータ５４は、システムバス５８を介して、レジスタ９４の格納データを書き換えることにより、ＤＡＣ９６から出力される電圧Ｖ２を変化させる。また、直流電圧源Ｖ２は、ポテンショメータを用いて構成することもできる。
【００２９】
例えば、ＦＭラジオ受信機５０で放送を聞いているユーザがイメージ局の混信を感じたときに、アップダウンキーやつまみを操作して、マイクロコンピュータ５４にレジスタ９４の格納データの増減を指示したり、ポテンショメータの出力電圧を調整したりすることによって、受信状態が好適となるように調整する構成とすることができる。
【００３０】
また、レジスタ９４及びＤＡＣ９６を用いる図１に示す構成では、予め測定を行って、好適なイメージ除去率が得られる格納データを求め、当該データをメモリ５６に記憶させておく構成とすることができる。この構成では、ＦＭラジオ受信機５０の起動時に、マイクロコンピュータ５４がメモリ５６から当該データを読み出して、レジスタ９４に格納する。
【００３１】
当該データを予め取得する測定は、検査対象のＦＭチューナ回路５２を周波数ｆＰの放送局を受信可能に同調させた状態、すなわち第１局部発振信号ＳＬＯ１の周波数ｆＬＯ１を（ｆＰ＋ｆＩＦ１）に設定した状態にて、アンテナ入力端子に、イメージ周波数（ｆＰ＋２ｆＩＦ１）で所定強度の検査ＲＦ信号を入力する。この状態でＦＭチューナ回路５２に設けられるＳメータ回路（図示せず）から出力される受信電界強度信号ＳＭ−ＤＣは、第１混合回路６６にて生成される第１中間信号ＳＩＦ１に含まれるイメージ信号成分の強度を表すものとなる。そこで、レジスタ９４の格納データを書き換え、ＳＭ−ＤＣの電圧値をモニタし、ＳＭ−ＤＣが最小となる格納データｄＭＩＮを探索する。このｄＭＩＮがイメージ信号の除去率を最大とする格納データとして、メモリ５６に記録される。
【００３２】
ちなみに、上述のＦＭラジオ受信機５０は、第１混合回路６６のイメージリジェクションミキサとしての機能を好適に調整できることに対応して、ＲＦ同調回路を省略した構成としている。このように、本発明によれば、ＲＦ同調回路を省略したり、または複同調回路より簡素な単同調回路としたりすることが可能となり、ＦＭチューナ回路５２を構成するＩＣの外付け部品が減り、コスト低減やサイズの小型化が図れる。
【００３３】
なお、ここではＦＭラジオ受信機５０における周波数変換回路に本発明を適用した実施形態を説明したが、本発明は、イメージリジェクションミキサを用いる周波数変換回路一般に適用することができる。
【図面の簡単な説明】
【００３４】
【図１】本発明の実施形態に係るＦＭラジオ受信機の概略のブロック構成図である。
【図２】本発明の実施形態のＦＭラジオ受信機におけるＶＣＯの概略の構成を示す回路図である。
【図３】ＦＭ受信機のＲＦ信号からＩＦ信号への変換を行う部分の回路構成を示すブロック図である。
【図４】イメージリジェクションミキサの原理を説明するための模式的なブロック図である。
【図５】互いに直交する局部発振信号ＳＬＯ(0)及びＳＬＯ(-π/2)の生成を説明する信号波形図である。
【符号の説明】
【００３５】
５０  ＦＭラジオ受信機、５２  ＦＭチューナ回路、５４  マイクロコンピュータ、５６  メモリ、５８  システムバス、６０  アンテナ、６４  第１局部発振部、６６  第１混合回路、６８，７２  ＢＰＦ、７０  バッファアンプ、７４  第２局部発振部、７６  第２混合回路、８０  ＩＦＢＰＦ、８２  リミッタアンプ、８４  ＦＭ検波回路、９０，１０６，１０８  分周回路、９２  第１発振回路、９４  レジスタ、９６  Ｄ／Ａ変換回路、１００  位相比較部、１０２  ループフィルタ、１０４  ＶＣＯ、１１０  ＬＣ発振回路、１１２  差動増幅回路、１１４  オフセット調整回路。
【図１】
0005028210.tif 000002
【図２】
0005028210.tif 000003
【図３】
0005028210.tif 000004
【図４】
0005028210.tif 000005
【図５】
0005028210.tif 000006